【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
ユーザの注釈について電子文書を監視することと、
前記電子文書への注釈の入力を認識することと、
前記注釈に近いコンテキストデータを収集することと
前記注釈およびコンテキストデータを使用して前記注釈に関連した情報を探し出すことと
を備え、
前記コンテキストデータを収集することは、
少なくとも２つの探索タームを導出することと、
前記探索タームを探索タームの履歴と比較することと、
特定の探索タームが前記探索タームの履歴に含まれているかどうかによって前記探索タームのそれぞれを重み付けし、前記探索タームの履歴に含まれている探索タームにより高い重みが割り当てられることと
をさらに備えることを特徴とする方法。
【請求項２】
前記コンテキストデータを収集することは、前記注釈に近いテキストから１つまたは複数の語を抽出することをさらに備えることを特徴とする請求項１に記載の方法。
【請求項３】
前記コンテキストデータを収集することは、前記注釈に関連付けられたドキュメントオブジェクトモデル（ＤＯＭ）内の注釈オブジェクトに近いオブジェクトを探し出すことをさらに備えることを特徴とする請求項１に記載の方法。
【請求項４】
前記コンテキストデータを収集することは、
前記注釈からの第１の距離を規定することと、
前記注釈からの第２の距離を規定することと、
前記注釈からの前記第１の距離内にある１つまたは複数のキーワードを探し出すことと、
前記注釈からの前記第２の距離内にあるが、前記注釈からの前記第１の距離内にはない１つまたは複数のキーワードを探し出すことと、
前記注釈からの距離に従って前記１つまたは複数のキーワードを重み付けし、前記第１の距離内のキーワードは、前記第２の距離内にあるが前記第１の距離内にはないキーワードよりも高い重みを有することと
をさらに備え、
前記注釈に関連した情報を探し出すことは、前記キーワードに割り当てられた重みに従って前記キーワードを使用することを特徴とする請求項１に記載の方法。
【請求項５】
前記探索タームの履歴は、特定のユーザによって使用された探索タームの履歴をさらに備えることを特徴とする請求項１に記載の方法。
【請求項６】
前記探索タームの履歴は、ユーザの特定のグループのすべてのユーザによって使用された探索タームの履歴をさらに備えることを特徴とする請求項１に記載の方法。
【請求項７】
前記注釈に関連した情報を探し出すことは、前記注釈と一致または類似するタームについて電子文書を探索することをさらに備えることを特徴とする請求項１に記載の方法。
【請求項８】
前記注釈に関連した情報を探し出すことは、前記注釈と一致または類似するタームを含む文書についてリモートサイトを探索することをさらに備えることを特徴とする請求項１に記載の方法。
【請求項９】
前記注釈に関連した情報を探し出すことは、
前記ユーザによってアクセスされた以前の文書に含まれた前記注釈およびワードに基づいて、ユーザに関心のある可能性が高いキーワードを決定することと、
前記キーワードを使用して情報を探し出すことと
をさらに含むことを特徴とする請求項１に記載の方法。
【請求項１０】
前記以前の文書は、指定された期間内にアクセスされた文書に限定されることを特徴とする請求項９に記載の方法。
【請求項１１】
前記注釈に関連した情報を探し出すことは、
前記ユーザによってアクセスされた以前の文書内の前記注釈および前記注釈と共に出現するワードに基づいて、ユーザに関心のある可能性が高いキーワードを決定することと、
前記キーワードを使用して情報を探し出すことと
をさらに備えることを特徴とする請求項１に記載の方法。
【請求項１２】
注釈は、丸、下線、ブロック、矢印、コールアウト、自由なノート、ポストイットノートの注釈のタイプのうちの１つをさらに備えることを特徴とする請求項１に記載の方法。
【請求項１３】
注釈の入力について電子文書を監視するように構成された注釈監視モジュールと、
前記電子文書に入力された注釈の近くに現れるコンテキストデータを収集し、前記コンテキストデータから１つまたは複数のキーワードを抽出するように構成された抽出モジュールと、
前記注釈および前記キーワードを使用して、関連したコンテキストを探し出すように構成された情報処理モジュールと、
１つまたは複数の探索についての少なくとも１つのクエリで前記システムにおいて以前に使用された１つまたは複数の履歴のキーワードを含む履歴モジュールと
を備え、
前記抽出モジュールは、前記キーワードが前記履歴モジュールに含まれているか否かによってキーワードを重み付けするようにさらに構成されていることを特徴とするシステム。
【請求項１４】
前記コンテキストデータは、前記注釈に最も近いテキストから導出された複数のキーワードをさらに備え、
前記抽出モジュールは、前記キーワードの前記注釈からの相対距離に従って各キーワードを重み付けするようにさらに構成され、
前記情報処理モジュールは、前記注釈および前記重み付けされたキーワードに基づいて探索を開始するようにさらに構成されたことを特徴とする請求項１３に記載のシステム。
【請求項１５】
前記探索は、前記注釈を探索タームとして使用して実行され、前記探索の結果は前記重み付けされたキーワードに従って再ランキングされることを特徴とする請求項１４に記載のシステム。
【請求項１６】
前記探索は、前記注釈および前記重み付けされたキーワードから導出された照会を使用して実行されることを特徴とする請求項１４に記載のシステム。
【請求項１７】
前記情報処理モジュールによって探し出された前記関連したコンテンツは、前記電子文書に含まれたキーワードをさらに備えたことを特徴とする請求項１３に記載のシステム。
【請求項１８】
前記情報処理モジュールによって探し出された前記関連したコンテンツは、１つまたは複数の前記キーワードを含むネットワーク上の文書をさらに備えたことを特徴とする請求項１３に記載のシステム。
【請求項１９】
前記情報処理モジュールは、同じ注釈が入力され、前記ユーザによってアクセスされた他の文書に現れる前記注釈およびワードに基づいて、前記ユーザに関心のある可能性が高い推奨キーワードを決定するようにさらに構成されたことを特徴とする請求項１３に記載のシステム。
【請求項２０】
前記推奨キーワードを前記ユーザに提示し、前記ユーザによる１つもしくは複数の推奨キーワードの選択または選択のないことを提供するように構成されたユーザインターフェースをさらに備えたことを特徴とする請求項１９に記載のシステム。
【請求項２１】
コンピュータ実行可能命令を含み、コンピュータで実行されたときに、
ユーザによって電子文書に入力された注釈を認識することと、
前記注釈の位置に関連したコンテキストデータを収集することと、
前記注釈によって示された１つまたは複数のワード、および前記コンテキストデータから導出された１つまたは複数のキーワードから選択された探索タームで探索を実行することによって、および１つまたは複数の以前の探索において少なくとも１つのクエリで使用された以前に使用したキーワードを含むキーワードの履歴表に基づいて前記探索タームの少なくとも一部を重み付けすることによって前記ユーザに関心のある可能性がある追加のコンテンツを探し出すことと
を実行することを特徴とする１つまたは複数のコンピュータ可読媒体。
【請求項２２】
前記注釈は、丸、ボックス、矢印、下線、二重下線、括弧、ハイライト、手書き文字、自由なノート、ポストイットノートの注釈のセットに含まれる注釈であることを特徴とする請求項２１に記載の１つまたは複数のコンピュータ可読媒体。
【請求項２３】
前記注釈の位置に関連したコンテキストデータを収集することは、注釈オブジェクトに関連付けられたドキュメントオブジェクトモデル内の前記注釈オブジェクトから一定の距離内に出現するオブジェクトを収集することをさらに備えたことを特徴とする請求項２１に記載の１つまたは複数のコンピュータ可読媒体。
【請求項２４】
前記追加のコンテンツを探し出すことは、前記電子文書の中で１つまたは複数のローカルキーワードを探し出すことをさらに備えたことを特徴とする請求項２１に記載の１つまたは複数のコンピュータ可読媒体。
【請求項２５】
前記追加のコンテンツを探し出すことは、前記注釈によって示された１つまたは複数のワード、または前記コンテキストデータから導出された１つまたは複数のキーワードを含むネットワーク上の１つまたは複数の文書を探し出すことをさらに備えたことを特徴とする請求項２１に記載の１つまたは複数のコンピュータ可読媒体。
【請求項２６】
前記追加のコンテンツを探し出すことは、前記ユーザによってアクセスされた他の文書中の前記注釈と共に頻繁に現れるワードを識別することによって、前記コンテキストデータから前記１つまたは複数のキーワードを導出することをさらに備えることを特徴とする請求項２１に記載の１つまたは複数のコンピュータ可読媒体。
【請求項２７】
前記追加のコンテンツを探し出すことは、前記ユーザによってアクセスされた他の文書中の前記注釈と共に頻繁に現れるワードを識別することによって、前記コンテキストデータから前記１つまたは複数のキーワードを導出することをさらに含むことを特徴とする請求項２１に記載の１つまたは複数のコンピュータ可読媒体。
【請求項２８】
前記重み付けられた探索タームに従って探索結果をランキングすることと
をさらに備えたことを特徴とする請求項２１に記載の１つまたは複数のコンピュータ可読媒体。
【請求項２９】
前記以前に使用したキーワードは、現ユーザによって以前に使用され、前記探索タームの少なくとも一部を重み付けすることは、前記キーワードの履歴表に含まれる探索タームにより高い重みを割り当てることをさらに備えたことを特徴とする請求項２８に記載の１つまたは複数のコンピュータ可読媒体。
【請求項３０】
前記以前に使用したキーワードは、ユーザのグループのすべてのユーザによって以前に使用され、前記探索タームの少なくとも一部を重み付けすることは、前記キーワードの履歴表に含まれる探索タームにより高い重みを割り当てることをさらに備えたことを特徴とする請求項２８に記載の１つまたは複数のコンピュータ可読媒体。